(57)【要約】【課題】軸上色収差を改良することのできる広角レンズを提供すること。【解決手段】広角レンズ１００は、物体側より順に配置された第１レンズ１０、第２レンズ２０、絞り４０、および第３レンズ３０からなる。第１レンズ１０は、少なくとも一方の面が非球面で、物体側に凸面を向けた負メニスカスレンズであり、第２レンズ２０は、少なくとも一方の面が非球面で、像側に凸面を向けた正メニスカスレンズであり、第３レンズ３０は、少なくとも一方の面が非球面で、像側に凸面を向けた正レンズである。第１レンズ１０のアッベ数をν1とし、第２レンズ２０のアッベ数をν2とし、第３レンズ３０のアッベ数をν3としたとき、アッベ数ν1、ν2、ν3はいずれも、５０を超えている。【選択図】図２
2018013704.tif 000002
【特許請求の範囲】
【請求項１】
物体側より順に配置された第１レンズ、第２レンズ、絞り、および第３レンズからなり、
前記第１レンズは、少なくとも一方の面が非球面で、物体側に凸面を向けた負メニスカスレンズであり、
前記第２レンズは、少なくとも一方の面が非球面で、像側に凸面を向けた正メニスカスレンズであり、
前記第３レンズは、少なくとも一方の面が非球面で、像側に凸面を向けた正レンズであり、
前記第１レンズのアッベ数をν1とし、前記第２レンズのアッベ数をν2とし、前記第３レンズのアッベ数をν3としたとき、アッベ数ν1、ν2、ν3はいずれも、５０を超えることを特徴とする広角レンズ。
【請求項２】
前記第１レンズにおいて像側に位置するレンズ面の中心における曲率半径をＲ12（ｍｍ）とし、前記第２レンズにおいて物体側に位置するレンズ面の中心における曲率半径をＲ21（ｍｍ）とし、全体の焦点距離をｆ0（ｍｍ）とし、レンズ面が物体側に向けて突出した凸面あるいは物体側に向けて凹んだ凹面である場合には、曲率半径Ｒ12および曲率半径Ｒ21を正の値とし、レンズ面が像側に向けて突出した凸面あるいは像側に向けて凹んだ凹面である場合には、曲率半径Ｒ12および曲率半径Ｒ21を負の値としたとき、曲率半径Ｒ12、曲率半径Ｒ21、および全体の焦点距離ｆ0は、以下の条件式
−５＜（Ｒ12×Ｒ21）／ｆ0＜−２
を満たすことを特徴とする請求項１に記載の広角レンズ。
【請求項３】
前記第１レンズにおいて物体側に位置するレンズ面の中心と前記第２レンズにおいて像側に位置するレンズ面の中心との距離をｄa（ｍｍ）としたとき、距離ｄaは、以下の条件式
１＜ｄa／ｆ0＜６
を満たすことを特徴とする請求項１または２に記載の広角レンズ。
【請求項４】
前記第２レンズおよび前記第３レンズはいずれも、物体側に位置するレンズ面および像側に位置するレンズ面の双方が非球面であることを特徴とする請求項１から３までのいずれか一項に記載の広角レンズ。
【請求項５】
水平画角が１００ｄｅｇ未満であることを特徴とする請求項１から４までのいずれか一項に記載の広角レンズ。
【発明の詳細な説明】
【技術分野】
【０００１】
本発明は、玄関ドアのインターホン等に用いられる広角レンズに関するものである。
【背景技術】
【０００２】
監視用カメラ、車載用カメラ、携帯機器用カメラ等に搭載されるレンズとして、物体側より順に第１レンズ、第２レンズ、絞り、および第３レンズが配置された３群３枚のレンズが提案されている。かかる広角レンズでは、低コスト化および薄型化を図るために第１レンズ、第２レンズ、および第３レンズのいずれをも、屈折率が比較的高いプラスチックレンズが用いられている（特許文献１参照）。また、第２レンズには、物体側および像側の双方のレンズ面が凸の両凸レンズが用いられている。
【先行技術文献】
【特許文献】
【０００３】
【特許文献１】特開２０１４−２０９１９０号公報
【発明の概要】
【発明が解決しようとする課題】
【０００４】
屈折率が高いレンズはアッベ数が小さくなる傾向にあるため、特許文献１に記載の広角レンズのように、両凸の第２レンズに屈折率が高いプラスチックレンズを用いると、第２レンズでの分散が大きい。一方、玄関ドアのインターホン等に用いる広角レンズには、中心部分での解像度が高いことが求められるため、軸上色収差が小さいことが求められる。しかしながら、特許文献１に記載の広角レンズでは、中心部分の解像度向上の要求に限界がある。
【０００５】
以上の問題点に鑑みて、本発明の課題は、軸上色収差を改良することのできる広角レンズを提供することにある。
【課題を解決するための手段】
【０００６】
上記課題を解決するために、本発明に係る広角レンズは、物体側より順に配置された第１レンズ、第２レンズ、絞り、および第３レンズからなり、前記第１レンズは、少なくとも一方の面が非球面で、物体側に凸面を向けた負メニスカスレンズであり、前記第２レンズは、少なくとも一方の面が非球面で、像側に凸面を向けた正メニスカスレンズであり、前記第３レンズは、少なくとも一方の面が非球面で、像側に凸面を向けた正レンズであり、前記第１レンズのアッベ数をν1とし、前記第２レンズのアッベ数をν2とし、前記第３レンズのアッベ数をν3としたとき、アッベ数ν1、ν2、ν3はいずれも、５０を超えることを特徴とする。
【０００７】
本発明では、第１レンズのアッベ数ν1、第２レンズのアッベ数ν2、第３レンズのアッベ数ν3のいずれもが、５０を超えるため、色分散が小さい。しかも、第２レンズがメニスカスレンズであるため、物体側の面と像側の面とで軸上色収差が相殺される。従って、広角レンズの軸上色収差を改良することができる。それ故、玄関ドアのインターホン用に用いる広角レンズ等、中心部分での解像度が高い広角レンズを実現することができる。
【０００８】
本発明において、前記第１レンズにおいて像側に位置するレンズ面の中心における曲率半径をＲ12（ｍｍ）とし、前記第２レンズにおいて物体側に位置するレンズ面の中心における曲率半径をＲ21（ｍｍ）とし、全体の焦点距離をｆ0（ｍｍ）とし、レンズ面が物体側に向けて突出した凸面あるいは物体側に向けて凹んだ凹面である場合には、曲率半径Ｒ
12および曲率半径Ｒ21を正の値とし、レンズ面が像側に向けて突出した凸面あるいは像側に向けて凹んだ凹面である場合、曲率半径Ｒ12および曲率半径Ｒ21を負の値としたとき、曲率半径Ｒ12、曲率半径Ｒ21、および全体の焦点距離ｆ0は、以下の条件式
−５＜（Ｒ12×Ｒ21）／ｆ0＜−２
を満たす態様を採用することができる。かかる態様によれば、非点収差の低減を図ることができる。
【０００９】
本発明において、前記第１レンズにおいて物体側に位置するレンズ面の中心と前記第２レンズにおいて像側に位置するレンズ面の中心との距離をｄa（ｍｍ）としたとき、距離ｄaは、以下の条件式
１＜ｄa／ｆ0＜６
を満たす態様を採用することができる。かかる態様によれば、ｄa／ｆ0が６未満であるため、非点収差の補正を容易に行うことができる。また、ｄa／ｆ0が１を超えるため、光学レンズの光軸方向の寸法を短くすることができる。
【００１０】
本発明において、前記第２レンズおよび前記第３レンズはいずれも、物体側に位置するレンズ面および像側に位置するレンズ面の双方が非球面である態様を採用することができる。かかる態様によれば、レンズ形状が適正であるため、収差を低減することができる。
【００１１】
本発明において、水平画角が１００ｄｅｇ未満である態様を採用することができる。玄関ドアのインターホン用に用いる広角レンズでは、画角を極端に大きくする必要がないので、中心部分での解像度が高い広角レンズを実現することができる。
【発明の効果】
【００１２】
本発明では、第１レンズのアッベ数ν1、第２レンズのアッベ数ν2、第３レンズのアッベ数ν3のいずれもが、５０を超えるため、色分散が小さい。しかも、第２レンズがメニスカスレンズであるため、物体側の面と像側の面とで軸上色収差が相殺される。従って、広角レンズの軸上色収差を改良することができる。それ故、玄関ドアのインターホン用に用いる広角レンズ等、中心部分での解像度が高い広角レンズを実現することができる。
【図面の簡単な説明】
【００１３】
【図１】本発明の実施の形態１に係る広角レンズを備えたレンズユニットの断面図である。
【図２】図１に示す広角レンズの説明図である。
【図３】図１に示す広角レンズの収差特性を示す説明図である。
【図４】本発明の実施の形態２に係る広角レンズの説明図である。
【図５】図４に示す広角レンズの収差特性を示す説明図である。
【図６】本発明の実施の形態３に係る広角レンズの説明図である。
【図７】図６に示す広角レンズの収差特性を示す説明図である。
【発明を実施するための形態】
【００１４】
以下に、図面を参照して、本発明を適用した広角レンズの実施例を説明する。
【００１５】
［実施の形態１］
図１は、本発明の実施の形態１に係る広角レンズ１００を備えたレンズユニット２００の断面図である。図２は、図１に示す広角レンズ１００の説明図であり、図２（ａ）、（ｂ）、（ｃ）は各々、レンズ構成を示す説明図、球面収差を示す説明図、および倍率色収差を示す説明図である。図３は、図１に示す広角レンズの収差特性を示す説明図であり、図３（ａ）、（ｂ）、（ｃ）は各々、非点収差等を示す説明図、および横収差を示す説明図である。なお、図２（ａ）に各面１〜９を表すにあたって、非球面には「＊」を付して
ある。図２（ｂ）、（ｃ）および図３（ａ）には、赤色光Ｒ（波長４８６ｎｍ）、緑色光Ｇ（波長５８８ｎｍ）、青色光Ｂ（波長６５６ｎｍ）における各収差を示してあり、図２（ｂ）には、瞳径（Pupil Radius）が０．４７９８ｍｍにおける球面収差を示し、図２（ｃ）には、最大視野（Max. Field）における倍率色収差を示してある。図３（ａ）には、サジタル方向の特性にＳを付し、タンジェンシャル方向の特性にＴを付してある。また、図３（ａ）に示すディストーションとは、撮像中央部と周辺部における像の変化比率を示し、ディストーションをあらわす数値の絶対値が小さいほど、高精度なレンズといえる。図３（ｂ）には、角度０．００ｄｅｇ、１２．１１ｄｅｇ、２３．９０ｄｅｇ、３４．１８ｄｅｇ、４６．０３ｄｅｇ、５６．６４ｄｅｇにおける光軸に直交する２方向（ｙ方向およびｘ方向）の横収差を示してある。なお、後述する図４〜図７でも略同様である。
【００１６】
図１に示すように、本形態のレンズユニット２００は、３群３枚のレンズ構成を有する広角レンズ１００と、広角レンズ１００を保持するレンズホルダ２１０とを備えている。広角レンズ１００は、物体側より順に配置された第１レンズ１０、第２レンズ２０、絞り４０、および第３レンズ３０を有しており、第３レンズ３０に対して像側に赤外線フィルタ等の平板状のフィルタ５０や撮像素子６０が配置されている。レンズホルダ２１０は、フィルタ５０を保持する環状の底板部２１１と、底板部２１１から物体側に延在する筒部２１２とを有しており、筒部２１２の内側に広角レンズ１００が配置されている。筒部２１２の外周面には、レンズユニット２００を光学機器に固定するためのネジ溝２１５が形成されている。本形態では、筒部２１２の内側に広角レンズ１００を設けるにあたって、第２レンズ２０と絞り４０との間に環状のスペーサ７０が配置され、この状態で、筒部２１２の内側に形成された環状凸部２１３が第１レンズ１０の外周端部を物体側から覆うようにカシメされている。
【００１７】
図２に示すように、広角レンズ１００において、第１レンズ１０は、少なくとも一方の面が非球面で、物体側に凸面を向けた負メニスカスレンズである。第２レンズ２０は、少なくとも一方の面が非球面で、像側に凸面を向けた正メニスカスレンズである。第３レンズ３０は、少なくとも一方の面が非球面で、像側に凸面を向けた正レンズである。
【００１８】
本形態において、第１レンズ１０は、物体側の面（第１面１）が球面の凸面であり、像側の面（第２面２）が非球面の凹面である。第２レンズ２０は、物体側の面（第３面３）が非球面の凹面であり、像側の面（第４面４）が非球面の凸面である。第３レンズ３０は、物体側の面（第６面６）が非球面の凸面であり、像側の面（第７面７）が非球面の凸面である。本形態において、第１レンズ１０、第２レンズ２０、および第３レンズ３０はいずれも、アクリル樹脂系、ポリカーボネート系、ポリオレフィン系等からなるプラスチックレンズからなる。絞り４０は第５面５を構成し、フィルタ５０の物体側の面は第８面８を構成し、フィルタ５０の像側の面は第９面９を構成している。
【００１９】
このように構成した広角レンズ１００の特性、各面の物性、非球面係数を表１に示してある。
【００２０】
【表１】
2018013704.tif 000003
【００２１】
表１の第１欄には、以下の項目が示されている。なお、後述する表２および表３でも同様である。
レンズ系全体の焦点距離ｆ0（Effective Focal Length）
物像間距離（Total Track）
レンズ系全体のＦ値（Image Space F/#）
最大画角（Max. Field Angle）
水平画角（Horizontal Field Angle）
【００２２】
表１の第２欄には、各面の以下の項目が示されている。曲率半径、厚さ、焦点距離の単位はｍｍである。ここで、レンズ面が物体側に向けて突出した凸面あるいは物体側に向けて凹んだ凹面である場合には、曲率半径を正の値とし、レンズ面が像側に向けて突出した凸面あるいは像側に向けて凹んだ凹面である場合、曲率半径を負の値としてある。なお、後述する表２および表３でも同様である。
曲率半径（Radius）
厚さ（Thickness）
屈折率Ｎｄ
アッベ数νｄ
焦点距離ｆ
【００２３】
表１の第３欄および第４欄には、各面のうち、非球面の形状を下式（数１）で表した際の非球面係数Ａ4、Ａ6、Ａ8、Ａ10が示されている。下式においては、サグ量（光軸方向の軸）をｚ、光軸と垂直方向の高さ（光線高さ）をｒ、円錐係数をｋ、曲率半径の逆数をｃとしてある。なお、後述する表２および表３でも同様である。
【００２４】
【数１】
2018013704.tif 000004
【００２５】
表１に示すように、本形態の広角レンズ１００においては、レンズ系全体の焦点距離ｆ0は２．１１４ｍｍであり、物像間距離は１５．２３５ｍｍであり、レンズ系全体のＦ値は２．２であり、最大画角は１１３ｄｅｇであり、水平画角は１００ｄｅｇ未満（９２ｄｅｇ）である。
【００２６】
広角レンズ１００は、以下の条件（１）、（２）、（３）を全て満たしている。まず、条件（１）として、第１レンズ１０のアッベ数をν1とし、第２レンズ２０のアッベ数をν2とし、第３レンズ３０のアッベ数をν3としたとき、アッベ数ν1、ν2、ν3はいずれも、５０を超えている。より具体的には、まず、第１レンズ１０は、アッベ数ν1が５８．０であり、屈折率Ｎｄが１．４９１である。第２レンズ２０は、アッベ数ν2が５５．８であり、屈折率Ｎｄが１．５３１である。第３レンズ３０は、アッベ数ν3が５５．８であり、屈折率Ｎｄが１．５３１である。従って、アッベ数および屈折率は以下の条件を満たしている。
アッベ数
第１レンズ１０＞第２レンズ２０＝第３レンズ３０＞５０
屈折率Ｎｄ
第１レンズ１０＜第２レンズ２０＝第３レンズ３０
【００２７】
また、第１レンズ１０において像側に位置するレンズ面（第２面２）の中心における曲率半径をＲ12（ｍｍ）とし、第２レンズ２０において物体側に位置するレンズ面（第３面３）の中心における曲率半径をＲ21（ｍｍ）とし、全体の焦点距離をｆ0（ｍｍ）としたとき、曲率半径Ｒ12、曲率半径Ｒ21、および全体の焦点距離ｆ0は、以下の条件（２）を満たしている。
条件（２）：  −５＜（Ｒ12×Ｒ21）／ｆ0＜−２
【００２８】
より具体的には、第１レンズ１０において像側に位置するレンズ面（第２面２）の中心における曲率半径Ｒ12は１．９７０ｍｍであり、第２レンズ２０において物体側に位置するレンズ面（第３面）の中心における曲率半径Ｒ21は−３．９３７（ｍｍ）であり、全体の焦点距離ｆ0が２．１１４ｍｍであるから、（Ｒ12×Ｒ21）／ｆ0は、−３．６７であり、上記の条件（２）を満たしている。
【００２９】
また、第１レンズ１０において物体側に位置するレンズ面（第１面１）の中心と第２レンズにおいて像側に位置するレンズ面（第４面４）の中心との距離をｄa（ｍｍ）としたとき、距離ｄaは６．６５ｍｍであり、以下の条件（３）を満たしている。
条件（３）：  １＜ｄa／ｆ0＜６
を満たしている。
【００３０】
このように本形態の広角レンズ１００は、３群３枚のレンズ構成であり、しかも、３枚のレンズはプラスチックである。従って、広角レンズ１００のコストを低減することができるとともに、軽量化を図ることができる。また、本形態では、第１レンズ１０のアッベ数ν1、第２レンズ２０のアッベ数ν2、第３レンズ３０のアッベ数ν3のいずれもが、５０を超えており、条件（１）を満たしているため、色分散が小さい。しかも、第２レンズ２０がメニスカスレンズであり、第２レンズ２０では、物体側の面（第３面３）と像側の面（第４面４）とで軸上色収差が相殺される。従って、図２に示すように、広角レンズ１００の軸上色収差が小さい。それ故、広角レンズ１００は、玄関ドアのインターホン用に用いる光学系等、画角を極端に大きくする必要がない光学系において、中心部分での解像度が高いことが求められる光学系として用いるのに適している。
【００３１】
また、第１レンズ１０において像側に位置するレンズ面（第２面２）の中心における曲率半径Ｒ12（ｍｍ）、第２レンズ２０において物体側に位置するレンズ面（第３面３）の中心における曲率半径Ｒ21（ｍｍ）、および全体の焦点距離ｆ0（ｍｍ）が条件（２）を満たしている。このため、図３に示すように、第１レンズ１０の像側の面（第２面２）と第２レンズ２０の物体側の面（第３面３）とで非点収差が相殺される。従って、広角レンズ１００の非点収差の低減を図ることができる。
条件（２）：  −５＜（Ｒ12×Ｒ21）／ｆ0＜−２
【００３２】
すなわち、（Ｒ12×Ｒ21）／ｆ0が−５以下、あるいが−２以上である場合には、広角レンズ１００の非点収差を十分に低減することができない傾向にあるため、非点収差を低減するには、曲率半径Ｒ12、Ｒ21が条件（２）を満たしていることが好ましい。
【００３３】
また、第１レンズ１０において物体側に位置するレンズ面（第１面１）の中心と第２レンズにおいて像側に位置するレンズ面（第４面４）の中心との距離ｄa（ｍｍ）が条件（３）を満たしている。従って、ｄa／ｆ0が６未満であるため、非点収差の補正を容易に行うことができる。また、ｄa／ｆ0が１を超えるため、広角レンズ１００の光軸方向の寸法（物像間距離）を短くすることができる。
【００３４】
また、第２レンズ２０および第３レンズ３０はいずれも、両面が非球面であるため、球面収差等の収差を低減することができる。
【００３５】
［実施の形態２］
図４は、本発明の実施の形態２に係る広角レンズ１００の説明図であり、図４（ａ）、（ｂ）、（ｃ）は各々、レンズ構成を示す説明図、球面収差を示す説明図、および倍率色収差を示す説明図である。図５は、図４に示す広角レンズの収差特性を示す説明図であり、図４（ａ）、（ｂ）、（ｃ）は各々、非点収差等を示す説明図、および横収差を示す説明図である。図５（ｂ）には、角度０．００ｄｅｇ、１２．０９ｄｅｇ、２３．８８ｄｅｇ、３５．１７ｄｅｇ、４６．００ｄｅｇ、５６．４４ｄｅｇにおける光軸に直交する２方向（ｙ方向およびｘ方向）の横収差を示してある。
【００３６】
図４に示すように、本形態の広角レンズ１００も、実施の形態１と同様、物体側より順に配置された第１レンズ１０、第２レンズ２０、絞り４０、および第３レンズ３０を有している。第１レンズ１０は、少なくとも一方の面が非球面で、物体側に凸面を向けた負メニスカスレンズである。第２レンズ２０は、少なくとも一方の面が非球面で、像側に凸面を向けた正メニスカスレンズである。第３レンズ３０は、少なくとも一方の面が非球面で、像側に凸面を向けた正レンズである。
【００３７】
本形態において、第１レンズ１０は、実施の形態１と同様、物体側の面（第１面１）が球面の凸面であり、像側の面（第２面２）が非球面の凹面である。第２レンズ２０は、物体側の面（第３面３）が非球面の凹面であり、像側の面（第４面４）が非球面の凸面である。第３レンズ３０は、物体側の面（第６面６）が非球面の凸面であり、像側の面（第７面７）が非球面の凸面である。本形態において、第１レンズ１０、第２レンズ２０、および第３レンズ３０はプラスチックレンズからなる。絞り４０は第５面５を構成し、フィルタ５０の物体側の面は第８面８を構成し、フィルタ５０の像側の面は第９面９を構成している。
【００３８】
このように構成した広角レンズ１００の特性、各面の物性、非球面係数を表２に示してある。
【００３９】
【表２】
2018013704.tif 000005
【００４０】
表２に示すように、本形態の広角レンズ１００においては、レンズ系全体の焦点距離ｆ0は２．１２０ｍｍであり、物像間距離は１５．０７２ｍｍであり、レンズ系全体のＦ値は２．２であり、最大画角は１１３ｄｅｇであり、水平画角は１００ｄｅｇ未満（９２ｄｅｇ）である。
【００４１】
また、広角レンズ１００は、以下の条件（１）、（２）、（３）を全て満たしている。まず、条件（１）として、第１レンズ１０のアッベ数ν1とし、第２レンズ２０のアッベ数ν2とし、第３レンズ３０のアッベ数ν3はいずれも、５０を超えている。より具体的には、まず、第１レンズ１０は、アッベ数ν1が５８．０であり、屈折率Ｎｄが１．４９１である。第２レンズ２０は、アッベ数ν2が５５．８であり、屈折率Ｎｄが１．５３１である。第３レンズ３０は、アッベ数ν3が５５．８であり、屈折率Ｎｄが１．５３１である。従って、アッベ数および屈折率は以下の条件を満たしている。
アッベ数
第１レンズ１０＞第２レンズ２０＝第３レンズ３０＞５０
屈折率Ｎｄ
第１レンズ１０＜第２レンズ２０＝第３レンズ３０
【００４２】
また、第１レンズ１０において像側に位置するレンズ面（第２面２）の中心における曲率半径Ｒ12（ｍｍ）、第２レンズ２０において物体側に位置するレンズ面（第３面３）の中心における曲率半径Ｒ21（ｍｍ）、および焦点距離ｆ0は、以下の条件（２）を満たしている。
条件（２）：  −５＜（Ｒ12×Ｒ21）／ｆ0＜−２
【００４３】
より具体的には、第１レンズ１０において像側に位置するレンズ面（第２面２）の中心における曲率半径Ｒ12は２．１３３ｍｍであり、第２レンズ２０において物体側に位置するレンズ面（第３面３）の中心における曲率半径Ｒ21は−３．６９０（ｍｍ）であり、全体の焦点距離ｆ0が２．１２０ｍｍであるから、（Ｒ12×Ｒ21）／ｆ0は、−３．７１であり、上記の条件（２）を満たしている。
【００４４】
また、第１レンズ１０において物体側に位置するレンズ面（第１面１）の中心と第２レンズにおいて像側に位置するレンズ面（第４面４）の中心との距離をｄa（ｍｍ）としたとき、距離ｄaは６．８４ｍｍであり、以下の条件（３）を満たしている。
条件（３）：  １＜ｄa／ｆ0＜６
を満たしている。
【００４５】
このように本形態の広角レンズ１００は、３群３枚のレンズ構成であり、しかも、３枚のレンズはプラスチックである。従って、広角レンズ１００のコストを低減することができるとともに、軽量化を図ることができる。また、第１レンズ１０のアッベ数ν1、第２レンズ２０のアッベ数ν2、第３レンズ３０のアッベ数ν3のいずれもが、５０を超えており、条件（１）を満たしているため、色分散が小さい。しかも、第２レンズ２０がメニスカスレンズであるため、第２レンズ２０では、物体側の面（第３面３）と像側の面（第４面４）とで軸上色収差が相殺される。従って、広角レンズ１００の軸上色収差が小さい等、実施の形態１と同様な効果を奏する。
【００４６】
［実施の形態３］
図６は、本発明の実施の形態３に係る広角レンズ１００の説明図であり、図６（ａ）、（ｂ）、（ｃ）は各々、レンズ構成を示す説明図、球面収差を示す説明図、および倍率色収差を示す説明図である。図７は、図６に示す広角レンズの収差特性を示す説明図であり、図４（ａ）、（ｂ）、（ｃ）は各々、非点収差等を示す説明図、および横収差を示す説明図である。図７（ｂ）には、角度０．００ｄｅｇ、１２．１２ｄｅｇ、２３．９１ｄｅｇ、３５．１８ｄｅｇ、４６．００ｄｅｇ、５６．５５ｄｅｇにおける光軸に直交する２方向（ｙ方向およびｘ方向）の横収差を示してある。
【００４７】
図６に示すように、本形態の広角レンズ１００も、実施の形態１と同様、物体側より順
に配置された第１レンズ１０、第２レンズ２０、絞り４０、および第３レンズ３０を有している。第１レンズ１０は、少なくとも一方の面が非球面で、物体側に凸面を向けた負メニスカスレンズである。第２レンズ２０は、少なくとも一方の面が非球面で、像側に凸面を向けた正メニスカスレンズである。第３レンズ３０は、少なくとも一方の面が非球面で、像側に凸面を向けた正レンズである。
【００４８】
本形態において、第１レンズ１０は、実施の形態１と同様、物体側の面（第１面１）が球面の凸面であり、像側の面（第２面２）が非球面の凹面である。第２レンズ２０は、物体側の面（第３面３）が非球面の凹面であり、像側の面（第４面４）が非球面の凸面である。第３レンズ３０は、物体側の面（第６面６）が非球面の凸面であり、像側の面（第７面７）が非球面の凸面である。本形態において、第１レンズ１０、第２レンズ２０、および第３レンズ３０はプラスチックレンズからなる。絞り４０は第５面５を構成し、フィルタ５０の物体側の面は第８面８を構成し、フィルタ５０の像側の面は第９面９を構成している。
【００４９】
このように構成した広角レンズ１００の特性、各面の物性、非球面係数を表３に示してある。
【００５０】
【表３】
2018013704.tif 000006
【００５１】
表３に示すように、本形態の広角レンズ１００においては、レンズ系全体の焦点距離ｆ0は２．１１２ｍｍであり、物像間距離は１５．１８５ｍｍであり、レンズ系全体のＦ値は２．２であり、最大画角は１１３ｄｅｇであり、水平画角は１００ｄｅｇ未満（９２ｄｅｇ）である。
【００５２】
また、広角レンズ１００は、以下の条件（１）、（２）、（３）を全て満たしている。まず、条件（１）として、第１レンズ１０のアッベ数ν1とし、第２レンズ２０のアッベ数ν2とし、第３レンズ３０のアッベ数ν3はいずれも、５０を超えている。より具体的には、まず、第１レンズ１０は、アッベ数ν1が５８．０であり、屈折率Ｎｄが１．４９１である。第２レンズ２０は、アッベ数ν2が５５．８であり、屈折率Ｎｄが１．５３１である。第３レンズ３０は、アッベ数ν3が５５．８であり、屈折率Ｎｄが１．５３１である。従って、アッベ数および屈折率は以下の条件を満たしている。
アッベ数
第１レンズ１０＞第２レンズ２０＝第３レンズ３０＞５０
屈折率Ｎｄ
第１レンズ１０＜第２レンズ２０＝第３レンズ３０
【００５３】
また、第１レンズ１０において像側に位置するレンズ面（第２面２）の中心における曲率半径Ｒ12（ｍｍ）、第２レンズ２０において物体側に位置するレンズ面（第３面３）の中心における曲率半径Ｒ21（ｍｍ）、および焦点距離ｆ0は、以下の条件（２）を満たしている。
条件（２）：  −５＜（Ｒ12×Ｒ21）／ｆ0＜−２
【００５４】
より具体的には、第１レンズ１０において像側に位置するレンズ面（第２面２）の中心における曲率半径Ｒ12は１．９５０ｍｍであり、第２レンズ２０において物体側に位置するレンズ面（第３面３）の中心における曲率半径Ｒ21は−３．９５７（ｍｍ）であり、全体の焦点距離ｆ0が２．１１２ｍｍであるから、（Ｒ12×Ｒ21）／ｆ0は、−３．６５であり、上記の条件（２）を満たしている。
【００５５】
また、第１レンズ１０において物体側に位置するレンズ面（第１面１）の中心と第２レンズにおいて像側に位置するレンズ面（第４面４）の中心との距離をｄa（ｍｍ）としたとき、距離ｄaは６．５９ｍｍであり、以下の条件（３）を満たしている。
条件（３）：  １＜ｄa／ｆ0＜６
を満たしている。
【００５６】
このように本形態の広角レンズ１００は、３群３枚のレンズ構成であり、しかも、３枚のレンズはプラスチックである。従って、広角レンズ１００のコストを低減することができるとともに、軽量化を図ることができる。また、本形態では、第１レンズ１０のアッベ数ν1、第２レンズ２０のアッベ数ν2、第３レンズ３０のアッベ数ν3のいずれもが、５０を超えており、条件（１）を満たしているため、色分散が小さい。しかも、第２レンズ２０がメニスカスレンズであるため、第２レンズ２０では、物体側の面（第３面３）と像側の面（第４面４）とで軸上色収差が相殺される。従って、広角レンズ１００の軸上色収差が小さい等、実施の形態１と同様な効果を奏する。
【００５７】
［他の実施の形態］
上記実施の形態１、２、３では、第２レンズ２０および第３レンズ３０の両面が非球面であったが、第２レンズ２０および第３レンズ３０の一方あるいは双方において、片面のみを非球面としてもよい。
【００５８】
上記実施の形態では、第１レンズ１０のアッベ数ν1が５８．０であり第２レンズ２０および第３レンズ３０のアッベ数ν2、ν3が５５．８であったが、各種検討の結果、アッベ数ν1、ν2、ν3については、上記の数値に限らず、５０を超えれば、玄関ドアのインターホン用に用いる広角レンズ１００として十分な軸上色収差を得ることができる。
【符号の説明】
【００５９】
１０・・第１レンズ、２０・・第２レンズ、３０・・第３レンズ、４０・・絞り、１００・・広角レンズ
【図１】
2018013704.tif 000007
【図２】
2018013704.tif 000008
【図３】
2018013704.tif 000009
【図４】
2018013704.tif 000010
【図５】
2018013704.tif 000011
【図６】
2018013704.tif 000012
【図７】
2018013704.tif 000013